(57)【要約】【課題】  放送受信装置を移動したときのチャンネルテーブルデータの設定に要する時間を短くする。【解決手段】  ユーザに任意の場所でチャンネルテーブルデータを設定させる。複数の前記任意の場所で前記ユーザに設定された、複数のチャンネルテーブルデータをメモリに記憶する。このメモリにより記憶されている前記複数のチャンネルテーブルデータの中から１つをユーザに選択させる。この選択されたチャンネルテーブルデータを前記記憶手段から読出してテレビジョン放送を選局する。【選択図】      図１
2008011208.tif 000002
【特許請求の範囲】
【請求項１】
ユーザに任意の場所でチャンネルテーブルデータを設定させるチャンネルテーブルデータ設定手段と、
複数の前記任意の場所で前記ユーザに設定された、複数のチャンネルテーブルデータを記憶する記憶手段と、
この記憶手段により記憶されている前記複数のチャンネルテーブルデータの中から１つをユーザに選択させるチャンネルテーブルデータ選択手段と、
このチャンネルテーブルデータ選択手段により選択されたチャンネルテーブルデータを前記記憶手段から読出すチャンネルテーブルデータ読出手段と、
このチャンネルテーブルデータ読出手段により読み出されたチャンネルテーブルデータを用いてテレビジョン放送を選局する選局手段とを備えたことを特徴とする放送受信装置。
【請求項２】
前記チャンネルテーブルデータ設定手段は、前記チャンネルテーブルデータを識別のための識別子を設定するチャンネルテーブル識別子設定手段を備えたことを特徴とする請求項１記載の放送受信装置。
【請求項３】
前記チャンネルテーブルデータ選択手段は、前回の選択されたチャンネルテーブルデータを次回のチャンネルテーブルデータ選択の際に優先的にユーザに提示することを特徴とする請求項１または請求項２に記載の放送受信装置。
【請求項４】
前記チャンネルテーブルデータ選択手段によって選択されたチャンネルテーブルデータの履歴情報を記録するためのチャンネルテーブル選択履歴情報記録手段を備え、
前記チャンネルテーブルデータ選択手段は、選択可能なチャンネルテーブルデータをユーザに提示する際に、前記チャンネルテーブル選択履歴情報記録手段の情報を基に、選択頻度の高いチャンネルテーブルを優先的に提示することを特徴とする請求項１または請求項２に記載の放送受信装置。
【請求項５】
予め地域毎に受信可能なチャンネルを示すチャンネルテーブルデータを記憶する不揮発性メモリを備え、
前記チャンネルテーブルデータ設定手段は、ユーザに任意の場所でチャンネルテーブルデータを設定させ、このチャンネルテーブルデータを前記不揮発性メモリが記憶するチャンネルテーブルデータとの差分データの形で求め、
前記選局手段は、前記差分データの形のチャンネルテーブルデータと前記不揮発性メモリが記憶するチャンネルテーブルデータとの両方を用いてテレビジョン放送を選局することを特徴とする請求項１記載の放送受信装置。
【請求項６】
チャンネルテーブルデータ設定手段により、ユーザに任意の場所でチャンネルテーブルデータを設定させ、
複数の前記任意の場所で前記ユーザに設定された、複数のチャンネルテーブルデータを記憶手段に記憶し、
チャンネルテーブルデータ選択手段により、前記記憶手段により記憶されている前記複数のチャンネルテーブルデータの１つをユーザに選択させ、
チャンネルテーブルデータ読出手段により、前記チャンネルテーブルデータ選択手段により選択されたチャンネルテーブルデータを前記記憶手段から読出し、
選局手段により、このチャンネルテーブルデータ読出手段により読み出されたチャンネルテーブルデータを用いてテレビジョン放送を選局することを特徴とする放送受信方法。
【発明の詳細な説明】
【技術分野】
【０００１】
この発明は、放送受信装置に関し、特に複数のチャンネルテーブルデータを持つ放送受信装置に関する。
【背景技術】
【０００２】
従来の放送受信装置として、自動的にチャンネルサーチを行い受信可能なチャンネルを設定するものが知られている（例えば、特許文献１参照）。
また、予め地域毎に受信可能なチャンネルを示すチャンネルテーブルデータをＲＯＭ等にメモリしておき、ユーザに設定された地域コードや電波搭から受信した電波により指定された地域コードによって、受信するのに用いるチャンネルテーブルデータ（チャンネルマップデータとも呼ぶ）を切り替える放送受信装置が知られている（例えば、特許文献２参照）。
【特許文献１】特開２００６−１０８７３７公報
【特許文献２】特開２００６−１１５４０４公報
【発明の開示】
【発明が解決しようとする課題】
【０００３】
チャンネルサーチには時間を要すため、放送受信装置を移動する度に自動的にチャンネルサーチを行っていたのでは多くの時間を要してしまう。
また、１つの地域で複数の放送局がカバーされているような状況では、例えばある放送局については隣接地域のチャンネルテーブルデータにあるデータを用いた方が、より受信状況が良いという場合もある。このような場合、地域毎に受信可能なチャンネルを示すチャンネルテーブルデータをＲＯＭ等にメモリする方法では、放送受信装置を移動する度に地域コードで大まかに設定する他、一部の放送局についてはユーザがマニュアルでチャンネルテーブルデータを設定する必要がある。
【０００４】
このように従来の放送受信装置においては、チャンネルテーブルデータの設定に、多くの時間を要してしまうという問題があった。
この発明は、放送受信装置を移動したときのチャンネルテーブルデータの設定に要する時間を短くすることを目的とする。
また、この発明は、チャンネルテーブルデータを記憶するデータの容量を少なくする放送受信装置を提供することを目的とする。
【課題を解決するための手段】
【０００５】
上記の目的を達成するために、この発明においては、ユーザに任意の場所でチャンネルテーブルデータを設定させるチャンネルテーブルデータ設定手段と、複数の前記任意の場所で前記ユーザに設定された、複数のチャンネルテーブルデータを記憶する記憶手段と、この記憶手段により記憶されている前記複数のチャンネルテーブルデータの中から１つをユーザに選択させるチャンネルテーブルデータ選択手段と、このチャンネルテーブルデータ選択手段により選択されたチャンネルテーブルデータを前記記憶手段から読出すチャンネルテーブルデータ読出手段と、このチャンネルテーブルデータ読出手段により読み出されたチャンネルテーブルデータを用いてテレビジョン放送を選局する選局手段とを備えたことを特徴とする放送受信装置を提供する。
【０００６】
上記の目的を達成するために、この発明においては、チャンネルテーブルデータ設定手段により、ユーザに任意の場所でチャンネルテーブルデータを設定させ、複数の前記任意の場所で前記ユーザに設定された、複数のチャンネルテーブルデータを記憶手段に記憶し、チャンネルテーブルデータ選択手段により、前記記憶手段により記憶されている前記複数のチャンネルテーブルデータの１つをユーザに選択させ、チャンネルテーブルデータ読出手段により、前記チャンネルテーブルデータ選択手段により選択されたチャンネルテーブルデータを前記記憶手段から読出し、選局手段により、このチャンネルテーブルデータ読出手段により読み出されたチャンネルテーブルデータを用いてテレビジョン放送を選局することを特徴とする放送受信方法を提供する。
【０００７】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００８】
この発明によれば、ユーザによって複数の前記任意の場所で設定された複数のチャンネルテーブルデータの中から任意のチャンネルテーブルデータを用いてテレビジョン放送を選局することができるので、放送受信装置を移動したときのチャンネルテーブルデータの設定に要する時間を短くすることができる。
【発明を実施するための最良の形態】
【０００９】
以下、図面を参照しながら本発明の実施形態について説明する。
なお、放送受信装置としては以下デジタルテレビジョン放送受信装置を例として説明するが、本発明はアナログ放送受信装置にも適用することができるし、ラジオ放送受信装置にも適用することができる。また、本発明は携帯型の他、据え置き型の放送受信装置にも適用するこができる。
【００１０】
（第１の実施の形態）
図１は、この発明を適用したデジタルテレビジョン放送受信装置１１１の例を概略的に示している。
デジタルテレビジョン放送受信装置１１１には、液晶表示パネル等でなる平面パネル型の映像表示器１１４、スピーカ１１５、操作部１１６、リモートコントローラ１１７から送信される操作情報を受ける受光部１１８等が備えられている。
【００１１】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１２】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１３】
また、このデジタルテレビジョン放送受信装置１１１は、第１のＬＡＮ（Local Area Network）端子１２０、ＵＳＢ（Universal Serial Bus）端子１２１を備えている。
【００１４】
アンテナ２４３で受信した衛星デジタルテレビジョン放送信号は、入力端子２４４を介して衛星デジタル放送用のチューナ２４５ａに供給される。
チューナ２４５ａは、制御部２６１からの制御信号により所望のチャンネルの放送信号を選局し、この選局された放送信号をＰＳＫ（Phase Shift Keying）復調器２４５ｂに出力する。
【００１５】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００１６】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００１７】
また、ＴＳ復号器２４５ｃは、デジタル放送により送られているセクション情報をセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００１８】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００１９】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００２０】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２１】
また、ＴＳ復号器２５０ｃは、デジタル放送により送られているセクション情報をセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００２２】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００２３】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００２４】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００２５】
また、字幕放送による字幕を表示するとき、グラフィック処理部２５４は、制御部２６１からの制御による字幕情報に基づき、映像信号上に字幕情報を重畳する処理を行う。
【００２６】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００２７】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００２８】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００２９】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００３０】
また、この制御部２６１は、カードＩ／Ｆ（Interface）２６５を介して、前記メモリカード１１９が装着可能なカードホルダ２６６に接続されている。これによって、制御部２６１は、カードホルダ２６６に装着されたメモリカード１１９と、カードＩ／Ｆ２６５を介して情報伝送することができる。
【００３１】
また、上記制御部２６１は、ＵＳＢ  Ｉ／Ｆ２６８を介して前記ＵＳＢ端子１２１に接続されている。これにより、制御部２６１は、ＵＳＢ端子１２１に接続された各機器（図１参照）と、ＵＳＢ  Ｉ／Ｆ２６８を介して情報伝送することができる。
【００３２】
次に、チャンネル設定時の動作について図２を用いて説明する。
放送受信装置を移動させたとき、ユーザがリモートコントローラ１１７もしくは操作部１１６の「チャンネル設定開始」ボタンを押すとチャンネル設定動作が開始する。
【００３３】
ステップＳ３０１：制御部２６１は、チューナ２４５ａに対して最小のチャンネル周波数へ切り替える。
ステップＳ３０２：制御部２６１は、チューナ２４５ａからの出力信号から放送が行われているか否かを判断し、放送が行われていればステップＳ３０４へ進み、放送が行われていなければステップＳ３０３へ進む。
【００３４】
ステップＳ３０３：制御部２６１は、チューナ２４５ａに対して次のチャンネル周波数へ切り替える。
ステップＳ３０４：制御部２６１は、放送が行われていたチャンネルテーブルデータにそのチャンネルのデータを追加し、ステップＳ３０５へ進む。
ステップＳ３０５：制御部２６１は、放送が行われる最大のチャンネル周波数か否かを判断し、最大のチャンネル周波数であればステップＳ３０６へ進み、まだ最大でなければステップＳ３０３へ進み、更にチャンネルサーチを続ける。
【００３５】
ステップＳ３０６：ステップＳ３０５でチャンネルテーブルデータが完成する。本実施形態では、例えば保存位置１〜保存位置１０までの１０箇所についてチャンネルテーブルデータを記憶できるものとする。完成したチャンネルテーブルデータを、保存位置１〜１０の内、どの保存位置とするかをユーザに問い合わせ、例えばリモートコントローラ１１７の数字ボタンを押させて、保存位置ｎを決定させる。
【００３６】
ステップＳ３０７：制御部２６１は、ユーザが入力した番号ｎに応じた保存位置ｎの完成したチャンネルテーブルデータとして、不揮発性メモリ２６１ｃへチャンネルテーブルデータ記憶する。
【００３７】
このようなチャンネルサーチを、例えば地域Ａ内にある自宅で実行して保存位置１として記憶した場合、不揮発性メモリ２６１ｃには図３（ａ）に示すチャンネルテーブルデータ１が記憶される。同様にチャンネルサーチを、例えば地域Ｂ内にある会社で実行して保存位置２として記憶した場合、不揮発性メモリ２６１ｃには図３（ｂ）に示すチャンネルテーブルデータ２が記憶される。
【００３８】
図１０は、映像表示器１１４での画面表示の例を示す図である。
次に、チャンネル選局時の動作について図４を用いて説明する。ここでは予め図２のチャンネル設定が自宅および会社の各場所において完了した後、放送受信装置を例えば自宅から会社へ移動させたときの例で説明する。
【００３９】
放送受信装置を移動させたとき、ユーザがリモートコントローラ１１７の「選局サーチ」ボタンを押下すると選局動サーチ作が開始する。
ステップＳ５０１：制御部２６１は、チャンネル選局に使用するチャンネルテーブルデータ決定のため、ユーザに保存位置ｎを指定させる。
例えばリモートコントローラ１１７の数字ボタンを押させて、チャンネル選局に使用するチャンネルテーブルデータの保存位置ｎを決定させる。ここで決定された「保存位置ｎ」という内容は、不揮発性メモリ２６１ｃに記憶され、以後のチャンネル選局時のチャンネルテーブルデータとして活用される。
【００４０】
ステップＳ５０２：制御部２６１は、ステップＳ５０１で指定されたチャンネルテーブルデータの保存位置ｎを用いて、チャンネルを選局する。
以上説明したとおり、本発明によれば、地域毎に受信可能なチャンネルを示すチャンネルテーブルデータをメモリしておけるので、放送受信装置を移動した場合に、以前に選局サーチしてチャンネルテーブルデータを保存した地域であれば、改めて選局サーチの処理をする必要がなく、この保存されたチャンネルテーブルデータを用いることで、その地域で番組受信するためのチャンネルテーブルデータの設定に要する時間を短くすることができる。
【００４１】
（第２の実施の形態）
この第２の実施の形態の構成については第１の実施の形態と基本的に同じであるので異なる部分についてのみ説明する。
第１の実施の形態においてはチャンネルサーチの結果により設定したが、この第２の実施の形態では予め工場出荷時等に地域毎に割り付けられたデフォルトのチャンネルテーブルデータを用い、これを元にしてユーザがチャンネル設定する点で異なる。
【００４２】
図５（ａ）は、工場出荷時にＲＯＭ２６１ａに記憶されているチャンネルテーブルデータ（地域Ａ用）を示す図である。
図５（ｂ）は、工場出荷時にＲＯＭ２６１ａに記憶されているチャンネルテーブルデータ（地域Ｂ用）を示す図である。
ユーザは、まず図６（ａ）に示す工場出荷時にＲＯＭ２６１ａに記憶されたチャンネルテーブルデータを用いてチャンネル設定をする。
図８は、映像表示器１１４での画面表示の例を示す図である。
この設定時、まずユーザは実際に自宅が属している地域Ａを選択することにより、図５（ａ）に示す工場出荷時にＲＯＭ２６１ａに記憶されたチャンネルテーブルデータが設定されるのであるが、実際には自宅においては放送局１１については、工場出荷時にＲＯＭ２６１ａに記憶されていた送信周波数「４０」ではなく、図３（ａ）に示すように送信周波数「５２」である。このためユーザはマニュアル操作にて、放送局１１の送信周波数を「５２」とする。
【００４３】
このとき制御部２６１は、図６（ａ）に示すような差分データを生成する。この差分データは、不揮発性メモリ２６１ｃに記憶される。
差分データは図６（ａ）に示すように、工場出荷時にＲＯＭ２６１ａに記憶されていたどの地域のデフォルト値を用いているかを示す“地域Ａ”という情報と、放送局１１について置き換えたことを示す“replace,放送局１１,５２”という情報から構成される。
【００４４】
また、差分データは図７（ｂ）に示すように、工場出荷時にＲＯＭ２６１ａに記憶されていたどの地域のデフォルト値を用いているかを示す“地域Ｂ”という情報と、放送局１７について追加したことを示す“add,放送局１７,３７”という情報から構成される。
【００４５】
また、ここには無いが削除した場合、例えば地域Ｂに属する会社では、放送局１２が受信できない場合、例えば“delete,放送局１２”という情報が追加される。
【００４６】
この動作を図７のフローチャートで示す。図７は、図３と比較してステップ８０１およびステップ８０２が追加されている点で異なる。説明の便宜上、この異なる部分についてのみ説明する。
【００４７】
まず、ステップＳ８０１にてチャンネルサーチ開始時点でユーザに地域を入力させる。例えば、図５（ａ）に示す自宅で設定するならば地域Ａを入力させる。そして図２と同様にフローが流れ、ステップＳ３０６の次に、ステップＳ８０１で入力された地域Ａのデータとの差分が演算され、図６（ａ）に示す差分データが求められる。そしてステップＳ３０７ではこの差分データをチャンネルテーブルデータｎとして不揮発性メモリに記憶する。
【００４８】
このようにユーザが任意にチャンネルテーブルデータを登録するために、工場出荷時にＲＯＭ２６１ａに記憶されたチャンネルテーブルデータを有効活用し、不揮発性メモリ２６１ｃには工場出荷時にＲＯＭ２６１ａに記憶されたチャンネルテーブルデータとの差分データのみ記憶しているので、図３に示すチャンネルテーブルデータを全てメモリするよりも、必要とするメモリ容量を小さくすることができる。
【００４９】
次に、チャンネルテーブルデータ選択の動作について説明する。ここでは予め図２のチャンネル設定が自宅および会社の各場所において完了した後、放送受信装置を例えば自宅から会社へ移動させたときの例で説明する。
【００５０】
放送受信装置を移動させたとき、ユーザがリモートコントローラ１１７もしくは操作部１１６の「チャンネルテーブルデータ選択」ボタンを押下するとチャンネルテーブルデータ選択が開始する。
【００５１】
ＲＯＭ２６１ａおよび不揮発性メモリ２６１ｃに記録された、複数のチャンネルテーブルデータを読み出し、これをもとにチャンネルテーブル選択メニューを生成して、例えば、図１０（ａ）に示すように映像表示器１１４上にユーザに掲示する。
【００５２】
ここで例えばユーザが、会社がある地域に対応するチャンネルテーブルデータとしてチャンネルテーブル３を選択すると、この選択履歴を不揮発性メモリ２６１ｃに記録し、次回のチャンネルテーブル選択の際に、チャンネルテーブルの表示優先順を更新し、チャンネルテーブル３が優先的に掲示されるようにする。例えば、図１０（ｂ）に示すように映像表示器１１４上のメニューで最上段に掲示する。
【００５３】
このようにユーザの最新の使用状況に合わせてチャンネルテーブル選択の際のチャンネルテーブルデータの選択肢の掲示の優先度を更新することで、ユーザが選局にかかる手間や時間を削減し、利便性を高めることができる。尚、チャンネルテーブルデータの選択肢の掲示の優先度の更新方法として、それまでに選択された履歴情報も不揮発性メモリ２６１ｃに記録しておき、最も多く選択されているテーブルデータから順に優先的に掲示してもよい。
【００５４】
また、チャンネルテーブルデータの選択肢の掲示の際にユーザに分かりやすいように、チャンネルデータ保存時に各チャンネルテーブルデータの識別名をユーザがリモートコントローラ１１７もしくは操作部１１６を用いて入力できるようにし、不揮発性メモリ２６１ｃに保存し、この識別名を選択肢の表示に用いてもよい。
【００５５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、チャンネルテーブルデータの選択肢の掲示の優先度の更新方法として、曜日や時刻といった情報も加味した過去の選択履歴をもとに行っても良い。実施形態に示される全構成要素から幾つかの構成要素を削除してもよいし、さらに、異なる実施形態にわたる構成要素を適宜組み合わせてもよい。
【００５６】
また、第１の実施形態と第２の実施形態と第３の実施形態とを組み合わせ、所望の番組属性として、ジャンル、チャンネルを組みとしたものとしてもよい。
【図面の簡単な説明】
【００５７】
【図１】本発明を適用したデジタルテレビジョン放送受信装置１１１の信号処理系を示す図。
【図２】デジタルテレビジョン放送受信装置１１１のチャンネル設定時の動作を示すフローチャート。
【図３】デジタルテレビジョン放送受信装置１１１内の不揮発性メモリ２６１ｃに記憶されるチャンネルテーブルデータを示す図。
【図４】デジタルテレビジョン放送受信装置１１１のチャンネル選局時の動作を示すフローチャート。
【図５】工場出荷時にＲＯＭ２６１ａに記憶されているチャンネルテーブルデータ（地域Ａ用）および（地域Ｂ用）を示す図。
【図６】チャンネルテーブルデータとして記憶される差分データを説明するための図。
【図７】デジタルテレビジョン放送受信装置１１１のチャンネル設定時の動作を示すフローチャート。
【図８】映像表示器１１４での地域選択の画面表示の例を示す図である。
【図９】映像表示器１１４でのチャンネルテーブル選択と優先掲示の画面表示の例を示す図である。
【図１０】映像表示器１１４でのチャンネルテーブル設定の表示例を示す図である。
【符号の説明】
【００５８】
１１１…デジタルテレビジョン放送受信装置、１１４…映像表示器、１１５…スピーカ、１１６…操作部、１１７…リモートコントローラ、１１８…受光部、１１９…第１のメモリカード、１２０…ＬＡＮ端子、１２１…ＵＳＢ端子、１２２…バッテリ充電用端子。
【図１】
2008011208.tif 000003
【図２】
2008011208.tif 000004
【図３】
2008011208.tif 000005
【図４】
2008011208.tif 000006
【図５】
2008011208.tif 000007
【図６】
2008011208.tif 000008
【図７】
2008011208.tif 000009
【図８】
2008011208.tif 000010
【図９】
2008011208.tif 000011
【図１０】
2008011208.tif 000012